(57)【特許請求の範囲】
【請求項１】
ドアミラーの代替物として車体本体の側面から左右に突出して設けられる車両の構造体であって、
前記構造体には、前記車体本体の前後方向を基準とした前縁と後縁との間に、気流が各々の表面に沿って流れる第一気流面と第二気流面とが背中合わせに設けられ、
前記構造体は、前記前縁から前記後縁にかけて前記第一気流面と前記第二気流面とが背中合わせに形成される翼断面形状を有し、
前記第一気流面による前記前後方向に沿った表面長さが、前記第二気流面による前記前後方向に沿った表面長さより長く形成され、
前記構造体の内部には、前記車体本体の外を撮像するカメラが設けられると共に、
前記構造体の前記第一気流面には、前記カメラが前記車体本体の外を撮像するための撮像窓が設けられ、
前記撮像窓の表面は、前記第一気流面に沿った形状に形成される、
車両の構造体。
【請求項２】
前記構造体は、前記第一気流面と前記第二気流面とが対称な曲面形状となる対称翼断面状を有し、
前記第一気流面が前記第二気流面より後向きとなるように、前記車体本体の前後方向に対して傾けて設けられる、
請求項１記載の車両の構造体。
【請求項３】
前記構造体は、前記後縁側の端部が、前記第二気流面側へ突出している、
請求項１記載の車両の構造体。
【請求項４】
前記構造体は、前記第一気流面が前記第二気流面より肉厚に形成された非対称翼断面形状である、
請求項１記載の車両の構造体。
【請求項５】
前記構造体は、前記第一気流面に、前記前縁の近くの屈曲部位から前記後縁の近くの部位までに連通する連通孔が形成されている、
請求項１記載の車両の構造体。
【請求項６】
前記構造体は、前記第二気流面がフラットな面に形成されている、
請求項１記載の車両の構造体。
【請求項７】
前記構造体は、前記第一気流面および前記第二気流面についての、前記車体本体の前後方向に沿った気流に対する角度が可変に設けられ、
前記第一気流面の圧力および前記第二気流面の圧力に基づいて、前記第一気流面および前記第二気流面についての、前記車体本体の前後方向に沿った気流に対する角度を制御する制御部、を有する、
請求項１から６のいずれか一項記載の車両の構造体。
【発明の詳細な説明】
【技術分野】
【０００１】
本発明は、車両の車体本体から突出して設けられる構造体に関する。
【背景技術】
【０００２】
自動車といった車両では、特許文献１にもあるように、ドアミラーが設けられる。ドアミラーには、後側の面にミラーが設けられる。乗員は、このドアミラーを見ることで、車両の後方の交通状況などを目視で確認することができる。
【先行技術文献】
【特許文献】
【０００３】
【特許文献１】特開２０１４−１６７７２６号公報
【発明の概要】
【発明が解決しようとする課題】
【０００４】
しかしながら、ドアミラーは、車体本体の側面から左右へ突出して設けられる。しかも、ドアミラーの後面にはミラーを配置する必要がある。このため、車両側面に沿って前から後へ流れる気流は、ドアミラーによりが乱れる。ドアミラーの後側にはたとえば上下方向から平らなミラー面に向かって巻き込まれる渦気流が生成される。その結果、ドアミラーに設けられたミラーには、車外の汚れや跳ね上げられた泥などが付着することがある。
【０００５】
このように、車両では、車体本体から突出して設けられる構造体に対して、泥や汚れなどが付着し難くすることが求められている。
【課題を解決するための手段】
【０００６】
本発明に係る車両の構造体は、ドアミラーの代替物として車体本体の側面から左右に突出して設けられる車両の構造体であって、前記構造体には、前記車体本体の前後方向を基準とした前縁と後縁との間に、気流が各々の表面に沿って流れる第一気流面と第二気流面とが背中合わせに設けられ、前記構造体は、前記前縁から前記後縁にかけて前記第一気流面と前記第二気流面とが背中合わせに形成される翼断面形状を有し、前記第一気流面による前記前後方向に沿った表面長さが、前記第二気流面による前記前後方向に沿った表面長さより長く形成され、前記構造体の内部には、前記車体本体の外を撮像するカメラが設けられると共に、前記構造体の前記第一気流面には、前記カメラが前記車体本体の外を撮像するための撮像窓が設けられ、前記撮像窓の表面は、前記第一気流面に沿った形状に形成される。
【００１０】
好適には、前記構造体は、前記第一気流面と前記第二気流面とが対称な曲面形状となる対称翼断面状を有し、前記第一気流面が前記第二気流面より後向きとなるように、前記車体本体の前後方向に対して傾けて設けられる、とよい。
【００１１】
好適には、前記構造体は、前記後縁側の端部が、前記第二気流面側へ突出している、とよい。
【００１２】
好適には、前記構造体は、前記第一気流面が前記第二気流面より肉厚に形成された非対称翼断面形状である、とよい。
【００１３】
好適には、前記構造体は、前記第一気流面に、前記前縁の近くの屈曲部位から前記後縁の近くの部位までに連通する連通孔が形成されている、とよい。
【００１４】
好適には、前記構造体は、前記第二気流面がフラットな面に形成されている、とよい。
【００１５】
好適には、前記構造体は、前記第一気流面および前記第二気流面についての、前記車体本体の前後方向に沿った気流に対する角度が可変に設けられ、前記第一気流面の圧力および前記第二気流面の圧力に基づいて、前記第一気流面および前記第二気流面についての、前記車体本体の前後方向に沿った気流に対する角度を制御する制御部、を有する、とよい。
【発明の効果】
【００１６】
本発明では、車両の車体本体から突出して設けられる構造体には、車体本体の前後方向を基準とした構造体の前縁と後縁との間に、気流が各々の表面に沿って流れる下翼面と上翼面とが背中合わせに設けられる。そして、下翼面による前後方向に沿った表面長さは、上翼面による前後方向に沿った表面長さより長く形成される。よって、下翼面の表面に沿って流れる下気流は、上翼面の表面に沿って流れる上気流より早くなり、下翼面の表面の圧力は低下する。その結果、下気流に汚れや泥などが含まれたとしても、下翼面に向かって流れ難くなる。また、車体本体の外を撮像するための撮像窓が設けられる下翼面に汚れや泥などが付着し難くなる。
【図面の簡単な説明】
【００１７】
【図１】図１は、本発明の実施形態が適用される自動車と気流との関係の説明図である。
【図２】図２は、本実施形態での構造体の形状と気流との関係の説明図である。
【図３】図３は、図１の自動車で用いられる後方監視装置の説明図である。
【図４】図４は、図２の構造体の形状の変形例の説明図である。
【図５】図５は、本実施形態の構造体を可動させる変形例の説明図である。
【発明を実施するための形態】
【００１８】
以下、本発明の実施形態を、図面に基づいて説明する。
【００１９】
図１は、本発明の実施形態が適用される自動車１と気流との関係の説明図である。図１（Ａ）は側面図である。図１（Ｂ）は上面図である。自動車１は、車両の一例である。
図１の自動車１は、車体本体２を有する。車体本体２は、開閉ドアが設けられる乗員部４と、その前後に突出する前部３および後部５とを有する。車体本体２の表面は、自動車１の走行により発生する前から後へ略一様に流れる気流が、その表面に沿って流れるように流線形を模した曲面形状に形成される。低い空気抵抗により、高い空力特性およびエネルギー効率を実現できる。なお、図１において気流は、一点鎖線で示している。
【００２０】
図２は、本実施形態での構造体１０の形状と気流との関係の説明図である。図２の構造体１０は、ドアミラーの代替物であり、図１に示すようにステー６を用いて車体本体２の側面から左右に突出して設けられる。
図２の構造体１０は、図２と垂直な方向に長尺な対称翼断面形状を有する。そして、構造体１０は前側より後側が上がる斜めの姿勢で設けられる。
対称翼断面形状の構造体１０は、図２に点線で示すように落下する水滴と同様の縦断面形状を有する。対称構造上の前縁と後縁とを結ぶ翼弦が車両本体の前後方向と一致するように回転させた状態では、前縁から前記後縁にかけて背中合わせに形成される対称構造上の上翼面１１と下翼面１２とは、翼弦に対して対称な翼面形状を有する。翼面形状に形成されることにより、下翼面１２または上翼面１１の近くを流れる気流は、各々の表面から剥離されることなく、各々の表面に沿って流れることができる。以下の説明では、下翼面１２の近くを流れる気流を、下側気流といい、上翼面１１の近くを流れる気流を、上気流という。
そして、下翼面１２と上翼面１１とを有する対称翼断面形状の構造体１０は、下翼面１２が上翼面１１より後向きとなるように、車体本体２の前後方向に対して傾けて設けられる。これにより、車体本体２に取り付けた状態での前縁から後縁までの、車体本体２の前後方向に沿った下翼面１２の表面長さは、上翼面１１の表面長さより長くなる。以下の本実施形態の説明では、この定義による上翼面１１と下翼面１２とを使用する。
【００２１】
図３は、図１の自動車１で用いられる後方監視装置２０の説明図である。
図３の後方監視装置２０は、カメラ２１、曲面補正処理部２２、表示部２３、を有する。
カメラ２１は、たとえば撮像半導体デバイスを有する。カメラ２１は、車体本体２の側面から左右に突出して設けられる構造体１０内に、後向きに配置される。
構造体１０には、下翼面１２の後方部分に、撮像窓１３が設けられる。撮像窓１３は、可視光を透過する透明または半透明の樹脂材料で形成してよい。撮像窓１３の表面は、下翼面１２と同様の翼面形状に形成される。カメラ２１は、この撮像窓１３を通じて、構造体１０の外側である車両の後方を撮像する。
曲面補正処理部２２は、カメラ２１と接続される。曲面補正処理部２２は、カメラ２１で撮像された画像から、翼面形状の撮像窓１３による歪み成分を取り除く。これにより、たとえば平らなミラー面で得られる歪みのない画像が得られる。
表示部２３は、たとえば表示デバイスである。表示部２３は、たとえば乗員部４において、運転席の斜め前に設置されてよい。表示部２３は、曲面補正処理部２２に接続され、曲面補正処理部２２から供給される歪みのない画像を表示する。これにより、運転者は、表示部２３に表示された画像により、車両の後方の交通状況などを確認できる。
【００２２】
このように、図３のカメラ２１は、図２の構造体１０の内部に設けられ、対称翼断面形状の構造体１０の下翼面１２の撮像窓１３から外後方を撮像する。
そして、図２の構造体１０は、対称翼断面形状に形成され、後上がりに車体本体２に設置される。また、下翼面１２は、上翼面１１より長い。
よって、車体本体２の側面上を前から後へ略一様に流れる気流は、構造体１０により乱されることなく、構造体１０の上翼面１１に沿って流れるとともに下翼面１２に沿って流れる。渦気流は発生し難い。
しかも、下翼面１２に沿って流れる下気流は、上翼面１１に沿って流れる上気流より早くなり、且つ、低圧になる。
このため、図２に示すように、下翼面１２に沿って流れる下気流に、車外の汚れや跳ね上げられた泥などが含まれていたとしても、それらの汚れや泥は、下翼面１２の撮像窓１３へ向かって移動せず、気流に従って撮像窓１３の後側へ流れる。
その結果、撮像窓１３には、車外の汚れや跳ね上げられた泥などが付着し難くなる。
【００２３】
以上のように、本実施形態では、車体本体２の前から後へ流れる略一様の気流内に突出して設けられる車両の構造体１０には、車体本体２の前後方向を基準とした構造体１０の前縁と後縁との間に、気流が各々の表面に沿って流れる下翼面１２と上翼面１１とが背中合わせに設けられる。そして、下翼面１２による前後方向に沿った表面長さは、上翼面１１による前後方向に沿った表面長さより長く形成される。よって、下翼面１２の表面に沿って流れる下気流は、上翼面１１の表面に沿って流れる上気流より早くなり、下翼面１２の表面の圧力は低下する。その結果、下気流に汚れや泥などが含まれたとしても、下翼面１２へ向かって巻き込まれる渦気流が生成され難くなる。構造体１０の下翼面１２には、汚れや泥などが付着し難くなる。
そして、このような下翼面１２に、車体本体２の外を撮像するための撮像窓１３を設けることにより、撮像窓１３が汚れ難くなる。構造体１０は、たとえばドアミラーの代替物として好適に用いることができる。
【００２４】
また、本実施形態では、構造体１０には、車体本体２の外を撮像するカメラ２１が設けられ、撮像窓１３は、カメラ２１のために設けられる。よって、カメラ２１は、汚れにくい撮像窓１３を通じて、車体本体２の外を長期にわたって安定的に撮像することができる。
【００２５】
また、本実施形態では、構造体１０は、車体本体２の側面から左右に突出して設けられる。よって、構造体１０は、車体本体２そのものによる気流の乱れを受けにくくなる。そして、走行する車体本体２の前から後へ略一様に流れる気流内に、構造体１０を突出させることができる。
【００２６】
また、本実施形態では、構造体１０は、前縁から後縁にかけて下翼面１２と上翼面１１とが上下に凸となるように背中合わせに形成される翼断面形状を有する。よって、下翼面１２の表面に沿って流れる下気流と、上翼面１１の表面に沿って流れる上気流とを生成することができる。そして、構造体１０による気流の乱れを最小限に抑えることができる。構造体１０による気流が乱れを抑制し、車両の空力特性の悪化を抑制できる。
【００２７】
また、本実施形態では、構造体１０は、下翼面１２と上翼面１１とが対称な曲面形状となる対称翼断面形状を有し、下翼面１２が上翼面１１より後向きとなるように、車体本体２の前後方向に対して傾けて設けられる。これにより、下翼面１２の表面に沿って流れる下気流は、上翼面１１の表面に沿って流れる上気流より早くなる。
【００２８】
以上の実施形態は、本発明の好適な実施形態の例であるが、本発明は、これに限定されるものではなく、発明の要旨を逸脱しない範囲において種々の変形または変更が可能である。
【００２９】
図４は、図２の構造体１０の形状の変形例の説明図である。
【００３０】
図４（Ａ）では、図２と比べて、構造体１０の後端部が、上へ突出している。
このように、構造体１０の後縁側の端部を、上翼面１１側へ突出させることにより、下翼面１２の表面に沿って流れる下気流は、上翼面１１の表面に沿って流れる上気流より更に早くなる。下気流の速度と上気流の速度との差を大きくすることができる。
なお、構造体１０の後縁側の端部を上翼面１１側へ突出させることにより、構造体１０は非対称翼断面形状となる。
【００３１】
図４（Ｂ）では、図２と比べて、構造体１０の下翼面１２側が、上翼面１１側より肉厚に形成されている。
このように、下翼面１２側を肉厚とする非対称翼断面形状とすることにより、下翼面１２の表面に沿って流れる下気流は、上翼面１１の表面に沿って流れる上気流より早くなる。下気流の速度と上気流の速度との差を大きくすることができる。
また、図４（Ｂ）では、下翼面１２側において、前縁の近くの屈曲部位から後縁の近くの部位までに連通する連通孔１４が形成されている。下翼面１２に沿って流れる下気流の一部は、下翼面１２の屈曲部位から連通孔１４に入り、下翼面１２の後縁の近くまでバイパスされる。
このように下翼面１２の屈曲部位から一部の空気を引き込むことにより、下翼面１２の屈曲部位において下翼面１２から気流が剥離し難くなる。その結果、下翼面１２の表面に沿って流れる下気流は、屈曲部位を含めて、下翼面１２の表面に沿って流れることができる。
【００３２】
図４（Ｃ）では、構造体１０の上面は、フラットな面に形成されている。すなわち、上翼面１１は、フラットな面に形成される。この場合でも、下翼面１２の表面に沿って流れる下気流が、上翼面１１の表面に沿って流れる上気流より早くなる。
【００３３】
図４（Ｄ）では、図４（Ｃ）の構造体１０を上下逆さまにした例である。
この場合、車体本体２の前後方向に沿った下翼面１２の表面長さは、上翼面１１の表面長さより短くなる。上翼面１１の表面に沿って流れる上気流は、下翼面１２の表面に沿って流れる下気流より早くなる。よって、撮像窓１３は、上翼面１１に設けるとよい。この場合でも、撮像窓１３が上翼面１１に後向きで設けられることにより、撮像窓１３に汚れや泥が付着し難くなる。
【００３４】
図５は、本実施形態の構造体１０を可動させる変形例の説明図である。
図５では、構造体１０は、ステー６に対して、垂直面内で回転可能に設けられる。すなわち、背中合わせに設けられる上翼面１１および下翼面１２についての、車体本体２の前後方向に沿った気流に対する角度が可能に設けられる。また、ステー６に対して構造体１０を回転駆動して位置決めするアクチュエータ２４が設けられる。構造体１０の上翼面１１および下翼面１２には、一対の圧力センサ２５が設けられる。一対の圧力センサ２５の検出値は、制御部２６に入力され、制御部２６は、アクチュエータ２４を制御する。
この場合、たとえば制御部２６が下側の圧力センサ２５の検出値と上側の圧力センサ２５の検出値との差が大きくなるように、または、下側の圧力センサ２５の検出値が上側の圧力センサ２５の検出値より所定値で低くなるように、アクチュエータ２４を動作させる。これにより、走行状況によらず、構造体１０の下翼面１２に沿って流れる下気流を、上翼面１１に沿って流れる上気流より早くなるように維持できる。下翼面１２に設けられる撮像窓１３に、汚れや泥が付着し難い状態を維持することができる。
また、この制御を実行する場合、図３の曲面補正処理部２２は、カメラ２１が撮像した画像の一部を切り出して表示部２３に表示させるとよい。そして、ステー６に対する構造体１０の角度が変化した場合、その逆方向へ画像の切り出し範囲をずらすとよい。これにより、構造体１０の姿勢が可変制御されているにもかかわらず、表示部２３には常に一定方向の画像を表示させることが可能になる。
なお、図５のアクチュエータ２４、一対の圧力センサ２５、制御部２６は、図３の後方監視装置２０の一部である。
【符号の説明】
【００３５】
１…自動車（車両）
２…車体本体
３…前部
４…乗員部
５…後部
６…ステー
１０…構造体
１１…上翼面（第二気流面）
１２…下翼面（第一気流面）
１３…撮像窓
１４…連通孔
２０…後方監視装置
２１…カメラ
２２…曲面補正処理部
２３…表示部
２４…アクチュエータ
２５…圧力センサ
２６…制御部
【図１】
0006568820.tif 000002
【図２】
0006568820.tif 000003
【図３】
0006568820.tif 000004
【図４】
0006568820.tif 000005
【図５】
0006568820.tif 000006